(57)【要約】【課題】指輪、その他の装身具に配したブリリアントカットした宝石の光輝度を最高度に発揮させるため、前記した指輪、その他の装身具の保持部材を、保持部材に保持された前記した宝石が、指輪、その他の装身具の動きに応じて、振動し、しかも、前記保持部材から離脱しない状態で保持できる保持部材を配した指輪、その他の装身具を提供する。【解決手段】ブリリアントカットした人工宝石、天然宝石のキュレットを底部に点接触させ、ガードル、クラウンをゆとりのある状態で抱え込んだ状態で収容してなる保持部材を備えた指輪等の装身具。【選択図】  図１
2004357743.tif 000002
【特許請求の範囲】
【請求項１】
ブリリアントカットした人工宝石、天然宝石のキュレットを底部に点接触させ、ガードル、クラウンをゆとりのある状態で抱え込んだ状態で収容してなる保持部材を備えたことを特徴とする指輪等の装身具。
【発明の詳細な説明】
【０００１】
【発明の属する技術分野】
本件発明は、ブリリアントカットした人工宝石、天然宝石をヤジロベー機能を発揮する状態で収容する保持部材を備えた指輪等の装身具を提供するものである。
【０００２】
【従来の技術】
これまで、人工宝石、天然宝石（以下これらの宝石と言う）については、これらの宝石の光輝度を十分に発揮する宝石とするための研磨手段としてのブリリアントカットに関する技術を高める研究が行われてきた。
そして、これらの研磨技術を施された宝石を指輪、その他の装身具に配置するためには、これらの宝石を収容する収容部材がこれらの宝石をぴったりと確実に収容し、決して離脱しないように工夫を凝らすと同時に、その宝石の光輝度を遺憾なく発揮できる状態で収容できるよう工夫が凝らされていた。そして、これらの宝石を収容した収容部材が指輪、その他の装身具に一体として形成され、或は、介在物を介して指輪、その他の装身具に取付けられていた。
宝石の輝きを最高度に発揮させようとする考え方で、宝石の周囲を見せることが可能となり、宝石に入射する光量をを減じることなく、宝石の煌めく美しさを最大限に引き出すことを可能とする収容部材に関する発明に特開平９−１５４６０６号公報に開示された発明があり、指にはめた指輪の傾斜状態に関係なく宝石部分だけが常に正面を向く配置手段を講じた指輪に関する特開２００２−１４２８１７号公報に開示された発明がある。
【０００３】
【発明が解決しようとする課題】
本発明は、指輪、その他の装身具に配したブリリアントカットした宝石の光輝度を最高度に発揮させるため、前記した指輪、その他の装身具の保持部材を、保持部材に保持された前記した宝石が、指輪、その他の装身具の動きに応じて、振動し、しかも、前記保持部材から離脱しない状態で保持できる保持部材を配した指輪、その他の装身具を提供しようとする発明である。
【０００４】
【課題を解決するための手段】
ブリリアントカットした人工宝石、天然宝石のキュレットを底部に点接触させ、ガードル、クラウンをゆとりのある状態で抱え込んだ状態で収容してなる保持部材を備えた指輪等の装身具。
【０００５】
【実施例】
この発明を構成する宝石を保持する保持部材２は、指輪その他の装身具（図示しない）に一体構造として形成され、或は介在物を介して取り付けられるものであることもあり、その配置方は問わない。
この発明を、指輪に形成した保持部材２の実施例を図１を示して説明する。
２はブリリアントカットした人工、或は、天然の宝石３を保持する保持部材である。保持部材２はブリリアントカットした宝石３を保持するための保持機能を発揮できる構造形式に形成されている。
【０００６】
指輪その他の装身具に配置される保持部材２の構造型式は、カップ型、或は籠型に形成してもよい。
【０００７】
該保持部材２の底部２１は、ブリリアントカットしたこれらの宝石３の尖端部であるキュレット３１部を点接触状態で接触するように形成してある。
前記保持部材２には、前記宝石３を、前記宝石３のキュレット３１部が前記保持部材２の底部２１に点接触する状態で収容する。
【０００８】
宝石３を前記した状態で収容したカップ型、籠型の前記保持部材２の開口周側壁２２は、前記保持部材２の底部２１にブリリアントカットされた宝石３のキュレット３１部を点接触して収容した後、ブリリアントカットした宝石３が、前記保持部材２から抜け落ちないように、前記ブリリアントカットしたこれらの宝石３のガードル３２尖端をゆとりをもった状態で抱え込むようにして保持部材２に収容する。保持部材２の開口周側壁２２の壁端周辺は保持部３の内側に折り曲げてその開口周側壁２２の壁端周辺をブリリアントカットした宝石３のクラウン３３面に向け、開口周側壁２２の壁端周辺と前記クラウン面３３との間にゆとりを持つ折り曲げガードとして形成して成るものである。
【０００９】
上記保持部材２の開口周側壁２２の壁端周辺は、開口側壁２２の壁端周辺を鋸歯状の凹凸片とし、その凸片を爪片として形成し、その凸片から成る爪片を保持具３の内側に折り曲げてもよいことは当然である。
要は、保持部材に収容した宝石３が保持部材２の内で振動したとき、ブリリアントカットしたこれらの宝石３のクラウン３３面に開口周側壁２２の壁端周辺が線状或は点状に接触するようにし、保持部材２に保持させたブリリアントカットしたこれらの宝石３が、保持部材２から離脱しないようにゆとりをもって保持する手段を講ずることである。
【００１０】
また、上記した保持部材２の開口周側壁２２の壁端周辺のガード、爪片は、上記した保持部材２の開口周側壁２２の壁端周辺そのものを保持部材２の内側に折り曲げて形成するだけでなく、前記ガード、爪片を形成した環（図示しない）を前記開口周側壁２２に接着手段等を以て取り付けてもよいことは勿論である。
【００１１】
図２は、ブリリアントカットしたこれらの宝石３を上記のように構成した保持部材２に収容したときに、保持部材２（図示しない）中で振動したときの状態を示す断面図である。
上記ガード、爪片の形成は、ブリリアントカットしたこれらの宝石３を保持部材２に収容した後に行うことは勿論である。
【００１２】
上記したような図１に示す状態で、保持部材２に収容されたブリリアントカットされたこれらの宝石３は、いわば、ブリリアントカットされたこれらの宝石３のキュレット３１部である尖端を保持部材２１の底部２１に点接触状態で収容し、また、前記宝石３のガードル３２、クラウン３３は、その周囲をゆとりをもった状態で保持部材２の開口周側壁２２の壁端周辺であるガード、爪片に抱え込まれた状態で収容される。即ち、上記したブリリアントカットしたこれらの宝石３は、該宝石３のキュレット３１部を保持部材２の底部２１に点接触した状態で、また、ガードル３２の尖端部、並に、クラウン３３は、ゆとりのある状態で、ガード或は爪片に抱え込まれた状態で、前記保持部材３の中に、いわゆるヤジロベー形式で保持部材２の保持部に収容されることになる。
【００１３】
【発明の効果】
本発明は、ブリリアントカットされたこれらの宝石３を上記のようなヤジロベー機能を発揮する状態で保持部材２に収容して成る構成としたので、従って、これを指輪、その他の装身具に取付け、或は、指輪、その他の装身具に形成したときは、指輪をはめた指の動きに応じて、或はこれを他の装身具に取り付け、或は形成したときは、身体の動きに応じてブリリアントカットされたこれらの宝石が、前記保持部内で図２に示す矢印方向に微動し、光の反射作用を得て、ブリリアントカットされた宝石の光輝度を増すと言う効果を奏すすることになる。
【図面の簡単な説明】
【図１】指輪に形成した保持部材に宝石を保持したときの断面図。
【図２】保持部材に保持された宝石が保持部材内で振動したときの状態を示す断面図。
【符号の説明】
２．    保持部材
３．    宝石
２１．  底部
２２．  開口周側壁
３１．  キュレット部
３２．  ガードル
３３．  クラウン
【図１】
2004357743.tif 000003
【図２】
2004357743.tif 000004